(57)【要約】  同軸ケーブルに装着されて、該同軸ケーブルを同軸Ｆ型コネクタ座に接続する同軸ケーブルコネクタである。同軸ケーブルコネクタは、軸方向一方の端部が同軸ケーブルの編組導体に嵌着されるスリーブと、軸方向一方の端部がスリーブの軸方向他方の端部に枢着されると共に、軸方向中間部分の内周面には、同軸Ｆ型コネクタ座に形成された雄ネジの先端部と螺合される雌ネジ部が形成されたリング状シェルと、リング状シェルの内側において雌ネジ部と軸方向他方の開口部との間に嵌装されると共に、軸方向に所定の長さを有し且つ周壁部から径方向内側に突出して同軸Ｆ型コネクタ座に摺動可能なスプリング片と、該スプリング片の軸方向一方の端部側において軸方向他方から一方に向かって径方向内側に立ち上がるように延びて該同軸Ｆ型コネクタ座の該雄ネジに係止される切起片とが設けられたリング状スプリングと、リング状シェルに対してリング状スプリングの回動を阻止する係合手段と、リング状シェルの外周部に設けられた滑り止めリングとを備える。
2009066705.tif 000002
【特許請求の範囲】
【請求項１】
同軸ケーブルに装着されて、該同軸ケーブルを同軸Ｆ型コネクタ座に接続する同軸ケーブルコネクタにおいて、
軸方向一方の端部が前記同軸ケーブルの編組導体に嵌着されるスリーブと、
軸方向一方の端部が前記スリーブの軸方向他方の端部に枢着されると共に、軸方向中間部分の内周面には、前記同軸Ｆ型コネクタ座に形成された雄ネジの先端部と螺合される雌ネジ部が形成されたリング状シェルと、
前記リング状シェルの内側において前記雌ネジ部と軸方向他方の開口部との間に嵌装されると共に、軸方向に所定の長さを有し且つ周壁部から径方向内側に突出して前記同軸Ｆ型コネクタ座に摺動可能なスプリング片と、該スプリング片の軸方向一方の端部側において軸方向他方から一方に向かって径方向内側に立ち上がるように延びて該同軸Ｆ型コネクタ座の該雄ネジに係止される切起片とが設けられたリング状スプリングと、
前記リング状シェルに対して前記リング状スプリングの回動を阻止する係合手段と、
前記リング状シェルの外周部に設けられた滑り止めリングと、
を備えたことを特徴とする同軸ケーブルコネクタ。
【請求項２】
前記リング状スプリングの前記切起片における軸方向一方の先端部分の角部が、円弧状を有する請求項１に記載の同軸ケーブルコネクタ。
【請求項３】
前記切起片の軸方向一方の先端面が、前記同軸Ｆ型コネクタ座の前記雄ネジにおいて該切起片と対向配置される部分のネジ溝角度と平行になるように、軸方向に対して傾斜している請求項１又は２に記載の同軸ケーブルコネクタ。
【請求項４】
前記切起片が、前記スプリング片の軸方向一方の端部において該スプリング片と一体形成されている請求項１乃至３の何れか一項に記載の同軸ケーブルコネクタ。
【請求項５】
前記リング状シェルの前記雌ネジ部は、前記同軸Ｆ型コネクタ座における前記雄ネジの先端部に対して少なくとも３回転螺合するようなネジ山数を備えている請求項１乃至４の何れか一項に記載の同軸ケーブルコネクタ。
【請求項６】
前記リング状シェルが前記スプリング片を介して前記同軸Ｆ型コネクタ座に嵌着されて、前記切起片が前記雄ネジに係止されると共に、該リング状シェルの前記雌ネジ部が該雄ネジの先端部に螺合された状態において、該スリーブの軸方向他方の端部と該同軸Ｆ型コネクタ座の軸方向一方の端部が当接している請求項１乃至５の何れか一項に記載の同軸ケーブルコネクタ。
【発明の詳細な説明】
【技術分野】
【０００１】
本発明は、同軸ケーブルに装着されて、同軸ケーブルを同軸Ｆ型コネクタ座に接続する同軸ケーブルコネクタに関するものである。
【背景技術】
【０００２】
従来、同軸ケーブルの同軸Ｆ型コネクタ座への接続には、同軸ケーブルコネクタを用いることが知られている。かかる同軸ケーブルコネクタの一種として、特許文献１（実登第２５４６７５２号公報）には、軸方向一方の端部が同軸ケーブルの芯線周りに嵌着されるスリーブと、スリーブの軸方向他方の端部に固定されたリング状シェルと、リング状シェルに内装されて、複数の切起しが径方向内側に突設されたリング状スプリングと、リング状シェルの軸方向一方の端部を包むようにして軸方向に移動可能に嵌装されると共に、リング状シェルに内挿された軸方向他方の端部乃至は該端部から径方向外方に突設された突起が、軸方向の移動に伴いリング状スプリングの切起しを押圧するようにしたキャップを備えた同軸ケーブルコネクタが提案されている。【０００３】
このような同軸ケーブルコネクタにおいては、同軸ケーブルをＦ型コネクタ座に接続する際に、コネクタをＦ型コネクタ座に向けて押し込み、同軸ケーブルの芯線がＦ型コネクタ座の中心導体に導通されると共に、リング状スプリングの切起しがＦ型コネクタ座の外部導体の外周面に形成された複数のネジ山に当接して弾性変形されつつ、リング状シェルがＦ型コネクタ座の外部導体に外挿される。そして、コネクタをＦ型コネクタ座に対して押し込む動作を所定の位置で停止して、切起しが雄ネジのネジ溝に係止されることによって、同軸ケーブルがＦ型コネクタ座に接続されることとなる。【０００４】
一方、このように接続された同軸ケーブルをＦ型コネクタ座から取り外すには、キャップをＦ型コネクタ座から離隔する軸方向に移動させることに伴い、キャップの軸方向端部等がリング状スプリングの切起しを押圧して、切起しを径方向外側に向かって変形させて、切起しとＦ型コネクタ座の係止状態を解除すると共に、リング状シェルをＦ型コネクタ座から引き抜くようになっている。
【特許文献１】実登第２５４６７５２号公報
【発明の開示】
【発明が解決しようとする課題】
【０００５】
しかしながら、上述の特許文献１に記載の同軸ケーブルコネクタによれば、同軸ケーブルのＦ型コネクタ座への接続に際して、リング状スプリングの切起しをＦ型コネクタ座の複数のネジ山に当接させて弾性変形させつつ、リング状シェルをＦ型コネクタ座に嵌装することとなる。このため、切起しの変形によるばね作用が、同軸ケーブルをＦ型コネクタ座に挿し込む方向に対して抗力として生ぜしめられて、接続作業が困難になるおそれがあった。また、同軸ケーブルをＦ型コネクタ座から取り外す場合には、切起しとネジ溝の係止状態が解除されるように、キャップで切起しを押圧変形させつつ、リング状シェルをＦ型コネクタ座から引き抜く必要があることから、切起しの変形によるばね作用が同軸ケーブルをＦ型コネクタ座から引き抜く方向に対して抗力となり、取り外し作業の負担が大きくなる可能性があった。【０００６】
そこで、同軸ケーブルとＦ型コネクタ座の着脱作業に際して、切起しのばね作用に伴う負荷が軽減されるように、例えば、リング状スプリングや切起し、キャップ等における寸法や形状、材質、配置等を設計することが考えられる。しかし、そうすると、同軸ケーブルとＦ型コネクタ座の接続状態下、リング状スプリングの切起しとコネクタ座の雄ネジの係止状態が安定して確保され難くなるおそれがあった。つまり、同軸ケーブルとＦ型コネクタ座の接続状態の安定性が確保されつつ、同軸ケーブルのＦ型コネクタ座に対する着脱作業の容易化を図ろうとすると、上述の設計が極めて難しくなり、現実的でないのである。【０００７】
しかも、特許文献１に記載の同軸ケーブルコネクタにおいては、同軸Ｆ型コネクタ座への挿し込み方向先端にキャップが被せ着けられた構造であるが故に、コネクタの挿し込み部分の大形化が避けられず、その結果、接続対象の同軸Ｆ型コネクタ座が制限される問題があった。【０００８】
具体的に、例えば、建物壁面等に設けられたテレビジョン共同受信用直列ユニットに用いられるＦ型レセプタクル（接栓座）は、防水上の観点等から、鉛直方向等に開口する凹所の底面に突設されている。このようなＦ型レセプタクルに対して上述の如き同軸ケーブルコネクタを着脱作業する場合に、キャップが凹所の壁部等に干渉して、作業に支障をきたすおそれがあった。また、複数のＦ型コネクタ座が設けられた分配器やパソコン機器等に対して同軸ケーブルを着脱作業する場合にも、キャップが他の同軸ケーブルコネクタやＦ型コネクタ座等に干渉して作業の妨げになる可能性があった。【０００９】
それ故、特許文献１に示される同軸ケーブルコネクタでは、接続適用可能なＦ型コネクタ座が制限され易くて、汎用性が小さい問題を内在していた。加えて、当該同軸ケーブルコネクタにおいては、リング状シェルに対して別体構造のキャップが装着されることに起因して、構造の複雑化や製造コストの増加が惹起される問題があった。【００１０】
ここにおいて、本発明は、上述の如き事情を背景として為されたものであって、その解決課題とするところは、比較的に簡単な構造で、同軸ケーブルのＦ型コネクタ座への接続作業や取り外し作業が容易とされ得ると共に、当該接続の信頼性が向上され得る、新規な構造の同軸ケーブルコネクタを提供することにある。
【課題を解決するための手段】
【００１１】
かかる課題を解決するためになされた本発明の第１局面は、同軸ケーブルに装着されて、該同軸ケーブルを同軸Ｆ型コネクタ座に接続する同軸ケーブルコネクタにおいて、軸方向一方の端部が前記同軸ケーブルの編組導体に嵌着されるスリーブと、軸方向一方の端部が前記スリーブの軸方向他方の端部に枢着されると共に、軸方向中間部分の内周面には、前記同軸Ｆ型コネクタ座に形成された雄ネジの先端部と螺合される雌ネジ部が形成されたリング状シェルと、前記リング状シェルの内側において前記雌ネジ部と軸方向他方の開口部との間に嵌装されると共に、軸方向に所定の長さを有し且つ周壁部から径方向内側に突出して前記同軸Ｆ型コネクタ座に摺動可能なスプリング片と、該スプリング片の軸方向一方の端部側において軸方向他方から一方に向かって径方向内側に立ち上がるように延びて該同軸Ｆ型コネクタ座の該雄ネジに係止される切起片とが設けられたリング状スプリングと、前記リング状シェルに対して前記リング状スプリングの回動を阻止する係合手段と、前記リング状シェルの外周部に設けられた滑り止めリングと、を備えたことを特徴とする。【００１２】
また、本発明の第２局面は、第１局面の同軸ケーブルコネクタにおいて、前記リング状スプリングの前記切起片における軸方向一方の先端部分の角部が、円弧状を有することを特徴とする。【００１３】
さらに、本発明の第３局面は、第１又は２局面の同軸ケーブルコネクタにおいて、前記切起片の軸方向一方の先端面が、前記同軸Ｆ型コネクタ座の前記雄ネジにおいて該切起片と対向配置される部分のネジ溝角度と平行になるように、軸方向に対して傾斜していることを特徴とする。【００１４】
更にまた、本発明の第４局面は、第１乃至３いずれかの局面の同軸ケーブルコネクタにおいて、前記切起片が、前記スプリング片の軸方向一方の端部において該スプリング片と一体形成されていることを特徴とする。【００１５】
また、本発明の第５局面は、第１乃至４いずれかの局面の同軸ケーブルコネクタにおいて、前記リング状シェルの前記雌ネジ部は、前記同軸Ｆ型コネクタ座における前記雄ネジの先端部に対して少なくとも３回転螺合するようなネジ山数を備えていることを特徴とする。【００１６】
さらに、本発明の第６局面は、第１乃至５いずれかの局面の同軸ケーブルコネクタにおいて、前記リング状シェルが前記スプリング片を介して前記同軸Ｆ型コネクタ座に嵌着されて、前記切起片が前記雄ネジに係止されると共に、該リング状シェルの前記雌ネジ部が該雄ネジの先端部に螺合された状態において、該スリーブの軸方向他方の端部と該同軸Ｆ型コネクタ座の軸方向一方の端部が当接していることを特徴とする。
【発明の効果】
【００１７】
第１局面の同軸ケーブルコネクタにおいては、同軸ケーブルの同軸Ｆ型コネクタ座への着脱作業の容易化や接続の信頼性向上等の目的に応じて、同軸ケーブルの同軸Ｆ型コネクタ座への接続状態が、第１の接続状態と第２の接続状態を適宜に選択し得る。第１の接続状態は、リング状シェルがリング状スプリングのスプリング片を介して同軸Ｆ型コネクタ座に嵌着されると共に、リング状スプリングの切起片が同軸Ｆ型コネクタ座の雄ネジに係止される状態をいう。また、第２の接続状態は、リング状シェルがスプリング片を介して同軸Ｆ型コネクタ座に嵌着されて、切起片が雄ネジに係止されると共に、リング状シェルの雌ネジ部が雄ネジの先端部に螺合される状態をいう。【００１８】
つまり、リング状シェルが同軸Ｆ型コネクタ座に嵌装されていない状態から第１の接続状態にする作業としては、Ｆ型コネクタ座をリング状シェルの軸方向他方の開口端部から挿し入れて、スプリング片上で軸方向他方から一方に向かって摺動させる。そして、スプリング片に設けられた切起片をＦ型コネクタ座の雄ネジに係止することで、Ｆ型コネクタ座のリング状シェルへの挿入端が規定されると共に、リング状シェルがスプリング片を介してＦ型コネクタ座に嵌着されて、第１の接続状態が実現される。【００１９】
そこにおいて、切起片が、Ｆ型コネクタ座の挿入端となるスプリング片の軸方向一方の端部側に形成されて、軸方向他方から一方に向かって径方向内側に立ち上がるように延びていることから、雄ネジを備えたＦ型コネクタ座とスプリング片の摺動時に、切起片が雄ネジのネジ山に引っ掛かって摺動を大きく阻害することが防止されて、挿入作業がスムーズになる。しかも、リング状スプリング片の挿入操作の最終段階で初めてコネクタ座のネジ溝と切起片が嵌合することとなり、このときに発生するクリック感及びクリック音の確認により、挿入作業が完了したか否かを容易に判定することができる。【００２０】
従って、本発明に係る同軸ケーブルコネクタを用いた第一の接続状態によれば、接続作業が容易になることに加え、リング状シェルをＦ型コネクタ座に対して軸直角方向から嵌着保持させるスプリング片の弾性作用および切起片と雄ネジの軸方向の係止機構によって、同軸ケーブルと同軸Ｆ型コネクタ座が電気的に安定して接続され得る。このことから、第１の接続状態の使用例として、例えばノートパソコンとテレビ端子との接続ケーブルのように、ケーブルの着脱をしばしば行うような接続に使う同軸ケーブルに用いれば、ユーザーにとっては、接続が簡単でしかもケーブルに何かが引っ掛っても引き抜け難い、極めて利便性のよい同軸ケーブルコネクタを提供できるのである。また、切起片がリング状スプリングの軸方向一方の端部に形成されていることによって、目的とする切起片と雄ネジの係止状態や係止時のクリック感等に応じて、切起片の大きさや形状、構造等の設計変更が容易となり、延いては製造コストの低減化が図られ得る。【００２１】
また、リング状シェルが同軸Ｆ型コネクタ座に嵌装されていない状態から第２の接続状態にする作業としては、Ｆ型コネクタ座をリング状シェルの軸方向他方の開口端部から挿し入れて、スプリング片上で軸方向他方から一方に向かって摺動させる。そして、スプリング片に設けられた切起片をＦ型コネクタ座の雄ネジに係止することで、Ｆ型コネクタ座のリング状シェルへの挿入端が規定されると共に、リング状シェルがスプリング片を介して雄ネジに嵌着される。ここまでは、第１の接続状態と同様である。更に、リング状スプリングを中心軸周りに回動させて、雄ネジを軸方向一方にねじ込み、雄ネジの先端部とリング状シェルの雌ネジを螺合させることで、第２の接続状態が実現される。【００２２】
すなわち、本発明に係る同軸ケーブルコネクタを用いた第２の接続状態によれば、リング状シェルをＦ型コネクタ座に対して軸直角方向から嵌着保持させるスプリング片の弾性作用および切起片と雄ネジの軸方向の係止機構に加え、雄ネジがリング状シェルの雌ネジに螺合されていることから、第１の接続状態に比して、同軸ケーブルをＦ型コネクタ座に強固に接続することが出来、それによって、接続の信頼性の更なる向上が図られ得る。これにより、例えばテレビ端子とテレビ台等に置かれたテレビとの間を接続する場合のように、テレビ台等が動かし難いため、一度同軸ケーブルを接続したら、テレビの配置を変えない限り恒久的に接続の状態を維持するような同軸ケーブルに対しても好適に採用され得る。【００２３】
また、特に、リング状シェルとリング状スプリングが互いに係合されていることによって、リング状シェルの回動により、リング状スプリングを外部から回動操作することが出来る。しかも、リング状シェルの外周部に滑り止めリングが設けられていることから、リング状シェルを安定して回動操作することが出来て、回動力がリング状スプリングに確実に伝えられる。このことから、例えば、一般に、建物壁面等に設けられるテレビジョン共同受信用直列ユニットのように、同軸Ｆ型コネクタ座が円形凹部内に設けられていて、同軸Ｆ型コネクタ座の周囲の空間が狭い場合であっても、円形凹部の外方から滑り止めリングを介してリング状シェルが安定して回動され得ることに基づき、接続作業が有利に実現され得る。【００２４】
また、同軸ケーブルと同軸Ｆ型コネクタ座における第２の接続状態を解除して、同軸ケーブルをＦ型コネクタ座から取り外す際には、リング状シェルの雌ネジ部と雄ネジの先端部との螺合状態を解除する方向にリング状シェルを回動操作して、雌ネジ部を雄ネジから外す。更に、リング状スプリングが、リング状シェルとの係合手段によりリング状シェルと同じ回動方向に回動することに基づき、雄ネジに対して離隔する方向に移動せしめられて、切起片と雄ネジの係止状態が解除される。これにより、同軸ケーブルをＦ型コネクタ座から取り外すことが出来る。また、同軸ケーブルと同軸Ｆ型コネクタ座における第１の接続状態を解除して、同軸ケーブルをＦ型コネクタ座から取り外す場合にも、第２の接続状態の解除作業と同様に、リング状シェルを雄ネジから離隔する方向に回動操作して、リング状スプリングが雄ネジに対して離隔する方向に移動することにより、切起片と雄ネジの係止状態が解除されることで、同軸ケーブルがＦ型コネクタ座から取り出され得る。【００２５】
要するに、本発明の同軸ケーブルコネクタによれば、リング状シェルおよびリング状スプリングの係合手段やリング状シェルの外周部に設けられた滑り止めリングによるリング状シェルの安定した回動操作によって、同軸ケーブルを同軸Ｆ型コネクタ座に対して第１又は第２の接続状態から簡単に取り外すことが出来る。しかも、第２の接続状態では、Ｆ型コネクタ座乃至は雄ネジにおける軸方向中間部分乃至は基端部（軸方向他方の端部）側にスプリング片が嵌着される一方、Ｆ型コネクタ座に形成された雄ネジの先端部がリング状スプリングの雌ネジ部に螺合されており、Ｆ型コネクタ座の全体に亘って雌ネジ部に螺合されないようになっている。このため、同軸ケーブルと同軸Ｆ型コネクタ座の着脱作業に際して、リング状シェルを比較的に少ない回動数で回動操作を完了することが出来、着脱作業の容易化が図られ得る。【００２６】
それ故、本発明に係る同軸ケーブルコネクタにおいては、比較的に簡単な構造で、同軸ケーブルのＦ型コネクタ座への接続作業や取り外し作業が容易とされ得ると共に、当該接続の信頼性が向上され得るのである。【００２７】
また、第２局面の同軸ケーブルコネクタでは、リング状シェルの回動に伴い切起片が回動する際に、切起片の先端部分の角部とコネクタ座のネジ溝との積極的な当接が抑えられて、同軸ケーブルとＦ型コネクタ座の着脱作業の更なる容易化が図られ得ると共に、切起片やコネクタ座の耐久性が向上され得る。また、特に、切起片の角部を円弧状としたことから、切起片における両角部の間の端縁部においてストレートな形状が有利に確保され得る。その結果、切起片と雄ネジの係止機能が有効に発揮されて、同軸ケーブルとＦ型コネクタ座の接続状態が安定して確保され得る。【００２８】
さらに、第３局面の同軸ケーブルコネクタによれば、リング状シェルの回動に伴い切起片が回動する際に、切起片の先端面が雄ネジのネジ溝角度と平行でないことに起因して切起片がネジ溝に引っ掛り易くなることが防止されて、コネクタの着脱作業が一層容易になる。【００２９】
更にまた、第４局面の同軸ケーブルコネクタでは、切起片がスプリング片の軸方向一方の端部においてスプリング片と一体形成されていることに基づき、部品点数の削減や構造の簡単化により、製造コストの更なる低減化が図られ得る。【００３０】
また、第５局面の同軸ケーブルコネクタによれば、リング状シェルに形成された雌ネジ部がコネクタ座の雄ネジの先端部に螺合する第２の接続状態において、同軸ケーブルコネクタの接続や取外しの容易性を維持しつつ、同軸Ｆ型コネクタ座に接続した同軸ケーブルコネクタの、軸方向の引っ張り力に対する取付強度を所定値以上に保つことができ、接続状態の信頼性が一層向上され得る。【００３１】
さらに、第６局面の同軸ケーブルコネクタでは、スリーブの軸方向他方の端部が同軸Ｆ型コネクタ座の軸方向一方の端部に当接されていることによって、スリーブとＦ型コネクタ座が軸方向で互いに支持されることとなり、スリーブと同軸ケーブルの編組導体における嵌着性やＦ型コネクタ座の雄ネジとリング状シェルの雌ネジ部との螺合安定性が一層向上されて、接続信頼性の更なる向上が図られ得る。また、コネクタ座の軸方向一方の端部がスリーブの軸方向他方の端部に当接されていることで、コネクタ座の略全体がコネクタで覆われている。これにより、外来電波の飛込みを防止するシールド性を更に良好に保つことができ、例えば、ディジタル放送の電波を受信して伝送するようなテレビ受信システムに用いることで、外来妨害波によって映像にブロックノイズがでたりすることの無いイミュニティー性能の極めて優れたコネクタを提供できる。【００３２】
なお、上述の第６局面の同軸ケーブルコネクタにおいて、例えば、スリーブの軸方向他方の端部がリング状シェルの雌ネジ部の軸方向一方の端部よりも軸方向一方に位置せしめられている態様が、採用されても良い。これにより、スリーブの軸方向他方の端部と同軸Ｆ型コネクタ座の軸方向一方の端部との当接に際して、Ｆ型コネクタ座の雄ネジにおけるリング状シェルの雌ネジ部へのねじ込み量がスリーブに及ぼされて、スリーブが同軸ケーブルの編組導体に向かって押圧される。その結果、スリーブと編組導体の嵌着性能の更なる向上が図られ得る。
【図面の簡単な説明】
【００３３】
【図１Ａ−１Ｂ】（ａ）は本発明の一実施形態としての同軸ケーブルコネクタを分解した状態を示す断面図であリ、（ｂ）はかかる同軸ケーブルコネクタの一部を構成するスリーブの断面図である。
【図２】図１Ａ,1Ｂの同軸ケーブルコネクタを同軸ケーブルに装着した状態を一部断面にした側面図である。
【図３】図１Ａ,1Ｂの同軸ケーブルコネクタを用いて同軸ケーブルをＦ型コネクタ座に接続した第１の接続状態を一部断面にして示す側面図である。
【図４】図３の要部を拡大して示す断面図である。
【図５】図１Ａ,1Ｂの同軸ケーブルコネクタを用いて同軸ケーブルをＦ型コネクタ座に接続した第２の接続状態を一部断面にして示す側面図である。
【図６】図５の要部を拡大して示す断面図である。
【図７】図１Ａ,1Ｂの同軸ケーブルコネクタを一部破断してその要部を拡大して示す斜視図である。
【図８】本発明の別の一実施形態としての同軸ケーブルコネクタを一部破断してその要部を拡大して示す斜視図である。
【図９Ａ−９Ｂ】（ａ）は本発明のまた別の一実施形態としての同軸ケーブルコネクタを一部破断してその要部を拡大して示す斜視図であり、（ｂ）はかかる同軸ケーブルコネクタを用いて同軸ケーブルをＦ型コネクタ座に接続した第１の接続状態において要部を拡大して示す断面図である。
【図１０Ａ−１０Ｂ】（ａ）は本発明の更に別の一実施形態としての同軸ケーブルコネクタを一部破断してその要部を拡大して示す斜視図であり、（ｂ）はかかる同軸ケーブルコネクタを用いて同軸ケーブルをＦ型コネクタ座に接続した第１の接続状態において要部を拡大して示す断面図である。
【図１１】本発明の更にまた別の一実施形態としての同軸ケーブルコネクタを一部破断してその要部を拡大して示す斜視図である。
【符号の説明】
【００３４】
１…同軸ケーブルコネクタ、２…化粧カバー、２ａ…滑り止め手段、２ｂ…保護手段、３…固着リング、４…中心導体、５…内部絶縁体、６…内部導体（アルミラミネート箔）、７…編組導体、８…保護被覆、９…滑り止めリング、９ａ…滑り止め手段、１０…同軸ケーブル、１１…挿入部、１１ａ…挿入止着部、１１ｂ…フランジ状部、１２…基端部、１２ａ…基端部前面、１３…通孔、１４…円形凹所、１５，１５ａ，１５ｂ…係合手段、１７…コンタクトピン、１８…スペーサ、１８ａ…芯線孔、１９…隆起部、２０…リング状シェル、２１…枢着部、２２…円筒状壁、２３…開口部、２５…係合部、２５ａ…凹状溝、２６…雌ネジ部、３０…スリーブ、３１…挿入部材、３２…止着部材、４０…コネクタ座、４１…雄ネジ、４１ａ…先端部、４１ｂ…対向部分、４５…直列ユニット、４６…パネル、４７…凹部、４８…空間、５０…リング状スプリング、５１，６１，７１，７２，７３，８１…切起片、５２…係合片、５２ａ…折り返し片、５２ｂ…舌状片、５３…スプリング片、５５…角部、７１ａ，７２ａ，７３ａ…先端面
【発明を実施するための最良の形態】
【００３５】
以下に、本発明を具体化した実施形態について、図面を参照しつつ詳細に説明する。図１Ａは本発明の同軸ケーブルコネクタに係る一実施形態としての同軸ケーブルコネクタ１を示した分解状態の断面図であリ、図１Ｂは同軸ケーブルコネクタ１の一部を構成するスリーブの断面図である。図２は本発明に係る同軸ケーブルコネクタ１を同軸ケーブル１０に装着する際の一工程を一部断面にして示す側面図である。なお、以下の説明において、特に断りのない限り、軸方向一方または後方は、同軸Ｆ型コネクタ座４０および同軸ケーブルコネクタ１から同軸ケーブル１０に向かう方向（図２中、左）をいい、軸方向他方または前方は、同軸ケーブル１０および同軸ケーブルコネクタ１から同軸Ｆ型コネクタ座４０に向かう方向（図２中、右側）をいう。図において、２は化粧カバー、３は固着リング、３０はスリーブ、２０はリング状シェル、９は滑り止めリング、５０はリング状スプリング、１０はアルミラミネート箔６を被覆した同軸ケーブルである。【００３６】
なお、同軸ケーブル１０には、周知の構造が採用可能であり、本実施形態では、中心導体４から径方向外方に向かって内部絶縁体５やアルミラミネート箔（内部導体）６、編組導体７、保護被覆８が嵌着されていると共に、内部絶縁体５やアルミラミネート箔６が、編組導体７や保護被覆８よりも前方に突出しており、更に中心導体４が内部絶縁体５やアルミラミネート箔６よりも前方に突出した構造が、採用されている。即ち、本実施形態の同軸ケーブル１０は、内部絶縁体の外周面にアルミラミネート箔６が覆設されて、外部導体である編組導体７と合わせてシールド効果をより高めたラミネート型の同軸ケーブルとされている。【００３７】
本実施形態の同軸ケーブルコネクタ１は、同軸ケーブル１０の編組導体７と接続するスリーブ３０と、接続対象である同軸Ｆ型コネクタ座４０に挿入によって摺動させることが可能なリング状スプリング５０と、該リング状スプリング５０を内装したリング状シェル２０と、同軸ケーブル１０に嵌着されたスリーブ３０を覆うための化粧カバー２と、リング状シェル２０の外周部に設けられ該リング状シェル２０の回動操作を行うための滑り止めリング９を含んで構成されている。なお、例えば、スリーブ３０と同軸ケーブル１０が直接に固定されたり、固着リング３以外の手段を用いて固定されたりする場合には、固着リング３を採用する必要はない。【００３８】
スリーブ３０は、導電性材料を用いて形成されていると共に、略筒状を有する挿入部材３１が略筒状の止着部材３２に圧入された構造とされている。詳細には、挿入部材３１の軸方向中間部分が止着部材３２に圧入されると共に、挿入部材３１の止着部材３２から軸方向一方に延び出した端部が、同軸ケーブル１０に挿入する挿入部１１とされている。また、挿入部１１は、同軸ケーブル１０の編組導体７とアルミラミネート箔６の間に挿入され易いテ−パ筒状を有していると共に、外周面に複数の隆起部１９を備えている。止着部材３２は、同軸ケーブル１０の保護被覆８の先端部を覆うようなスカート状に形成され、その内側には同軸ケーブル１０の保護被覆８の先端部分を挿入止着する挿入止着部１１ａが形成されている。スリーブ３０の同軸ケーブル１０への組付けは、同軸ケーブル１０におけるラミネート箔６より中心部を、スリーブ３０の挿入部材３１の内孔に挿入して、挿入部１１を同軸ケーブル１０のアルミラミネート箔６と編組導体７との間に介在させると共に、保護被覆８の外方から固着リング３で圧入固着されることで、実現される。また、挿入部材３１と止着部材３２が協働してなるスリーブ３０の軸方向他方の端部が、円形鍔状の基端部１２とされている。また、スリーブ３０の内孔は、挿入部材３１の軸方向一方の端部から中間部分にかけてストレートに延びる通孔１３と、挿入部材３１の軸方向他方の端部側で通孔１３よりも拡径された円形凹所１４からなる。更に、スリーブ３０基端部１２における円形凹所１４の周縁部分には、フランジ状部１１ｂが一体形成されている。【００３９】
リング状シェル２０はスリーブ３０と同様に導電材料で形成された筒状の外部導体であり、その筒状導体の軸方向一方の端部には、厚肉筒状の枢着部２１が形成されて、スリーブ３０の基端部１２と互いに噛み合った状態で接触導通させながら同心状に配置されて、該基端部１２に枢着されるようになっている。かかる枢着は、止着部材３２をリング状シェル２０の後方から枢着部２１に挿入すると共に、リング状シェル２０の前方側から挿入部材３１を止着部材３２に対して圧入等で固着することによって行われる。【００４０】
なお、本実施形態のスリーブ３０は、互いに別体構造の挿入部材３１と止着部材３２を組み付けた構造とされているが、例えば挿入部材３１と止着部材３２を一体形成し、予め枢着部２１が形成されたリング状シェル２０の後方から、スリーブ３０を挿入し、その後に、挿入止着部１１ａをリング状シェル２０の前方から拡径する方法で組付けるように構成してもよい。【００４１】
また、リング状シェル２０の軸方向中間部分の内周面には、接続対象である同軸Ｆ型コネクタ座４０に形成された雄ネジ４１に螺合するように雌ネジ部２６が形成されている。特に本実施形態では、コネクタ座４０の雄ネジ４１の先端部４１ａに対して、雌ネジ２６が略３回転螺合するように、雌ネジ部２６が略３山分とされている。なお、本実施形態のＦ型コネクタ座４０の外部導体においては、軸方向一方の端部と他方の端部の間における外周面の略全体に亘って、雄ネジ４１が螺刻されている。また、雄ネジ４１の先端部４１ａは、軸方向一方の先端面からネジ山３つ以内にかかる部分をいう。【００４２】
さらに、リング状シェル２０における雌ネジ部２６を挟んだ枢着部２１と反対の軸方向他方の側が、薄肉の円筒形状の円筒状壁２２とされている。円筒状壁２２の内側における雌ネジ部２６と軸方向他方の開口部２３との間には、リング状スプリング５０が収容される。また、雌ネジ部２６の前方端側には、径方向内側および前方に開口する凹状の係止部２５が、周方向に離隔して複数形成されている。【００４３】
リング状スプリング５０は、弾性を有する金属材料を金型等で略リング状に加工したものからなる。リング状スプリング５０における周壁部の軸方向中間部分には、軸方向に所定の長さを有し、且つ周壁部から径方向内側に突出したスプリング片５３が、周方向に離隔して複数形成されている。また、各スプリング片５３の後端部側には、切起片５１が設けられている。切起片５１は、軸方向他方から一方に向かって径方向内側に次第に立ち上がるように延びており、特に本実施形態では、リング状スプリング５０（スプリング片５３）と一体形成されている。更に、リング状スプリング５０の後端縁部には、リング状シェル２０の係合部２５の数に対応する、複数の係合片５２がリング状スプリングと一体形成されて、軸方向外方に突出している。【００４４】
そして、このリング状スプリング５０は、リング状シェル２０に形成された雌ネジ部２６とリング状シェル２０の開口端２３との間に、リング状シェル２０の内周と中心軸を略一致させて嵌装される。このとき、リング状シェル２０において、リング状スプリング５０よりも軸方向他方に位置せしめられた開口端２３が、径方向内側にかしめられることによって、リング状スプリング５０のリング状シェル２０の開口端２３からの脱落が防止される。また、図７にも示されているように、リング状スプリング５０の各係合片５２が、雌ネジ部２６の各係合部２５に嵌装されている。それによって、リング状スプリング５０の軸方向の移動が制限されると共に、リング状シェル２０とリング状スプリング５０が互いに係合されて、一体的に回動され得る。このことからも明らかなように、リング状シェル２０に対してリング状スプリング５０の回動を阻止する係合手段１５が、係合部２５と係合片５２によって構成されているが、上記目的を実現できるものなら特にこの実施例に限定されるものではない。【００４５】
固着リング３は、略円筒形状を有しており、同軸ケーブル１０に外装されて、同軸ケーブル１０内にスリーブ３０の挿入部１１を径方向外方から圧着固定するようになっている。【００４６】
また、リング状シェル２０における枢着部２１の外周部分には、滑り止めリング９が嵌着される。この滑り止めリング９は、合成樹脂材や金属材等の硬質部材を用いて形成されていると共に、外周面が凸凹状を有する滑り止め手段９ａを備えている。なお、滑り止め手段９ａは、凹凸形状に限定されるものでなく、例えば手指の接触に際して摩擦力を大きくするゴム材や合成樹脂材等の素材で構成されても良い。【００４７】
化粧カバー２は、大径の略円筒形状を呈していると共に、合成樹脂材等を用いて形成されており、同軸ケーブル１０に圧着された固着リング３を外方から覆うようにして、同軸ケーブル１０とスリーブ３０に対して樹脂モールド等の加工方法によって組付けられている。化粧カバー２の軸方向他方の外周面の略中央部には、凸凹状の滑り止め手段２ａや、同軸ケーブル１０の屈曲に対して同軸ケーブル１０とスリーブ３０の接続部の保護を行うための保護手段２ｂや会社名等のロゴなどが形成されている。【００４８】
次に、上述の同軸ケーブルコネクタ１を構成すると共に、該同軸ケーブルコネクタ１を同軸ケーブル１０に装着する工程の一具体例について説明するが、本発明はかかる具体例に限定されるものでない。【００４９】
先ず、枢着部２１の軸方向他方の開口部から挿入部材３１の挿通部１１を挿し通すと共に、枢着部２１の軸方向一方の開口部から止着部材３２を挿し通して、挿入部材３１を止着部材３２に圧入する。これにより、軸方向他方の側に円形鍔状の基端部１２を備えたスリーブ３０を構成すると共に、リング状シェル２０の枢着部２１を該基端部１２に対して枢着する。また、このようにスリーブ３０とリング状シェル２０を組み付ける前または後に、リング状スプリング５０をリング状シェル２０の内側に装着する。【００５０】
また、固着リング３に同軸ケーブル１０を外挿する。更に、スリーブ３０の挿入部１１を、スリーブ３０にあわせた所定長さで段剥きした同軸ケーブル１０の端部からアルミラミネート箔６と編組導体７の間に差し込む。この時、同軸ケーブル１０の保護被覆８が挿入部１１の挿入止着部１１ａに当接するまで挿入する。本実施形態では、同軸ケーブル１０を所定の長さに段剥きする際に、内部絶縁体５の端部を、スリーブ３０の通孔１３と円形凹所１４の境界部分（円形凹所１４の底面と略面一になる部分）に配置する。また、中心導体４が円形凹所１４から外方に所定の長さで突出するように加工する。【００５１】
このように、スリーブ３０を同軸ケーブル１０に挿入した後に、予め同軸ケーブル１０に挿通した固着リング３を、挿入部１１で保護被覆８の外側から縮径加工等により圧着し、編組導体７とスリーブ３０を保護被覆８の弾性を利用して接触させる。この時、本実施形態によれば、挿入部１１の全周に隆起部１９を備えており、当該隆起部１９周りの周径が、固着リング３を圧着する挿入部１１付近の筒径よりも大きくなるため、同軸ケーブル１０がスリーブ３０からの抜けが防止される。【００５２】
さらに、円形凹所１４内に突出した中心導体４にスリーブ３０の軸方向他方の開口端からコンタクトピン１７を挿着し、周知の半田付けやカシメ等によって固着する。また、中央に芯線孔１８ａを備えた円形ブロック状のスペーサ１８において、該芯線孔１８ａにコネクタピン１７を挿通すると共に、スペーサ１８を円形凹所１４に嵌め込む。これにより、コネクタピン１７がリング状シェル２０の略中心軸上を延びる形態で、リング状スプリング５０を備えたリング状シェル２０やスリーブ３０を同軸ケーブル１０に取り付ける。なお、同軸ケーブル１０の中心導体４に対するコネクタピン１７の挿着は、段剥きした同軸ケーブル１０をスリーブ３０に装着する前に、予め行っておいても良い。【００５３】
さらに、化粧カバー２を、同軸ケーブル１０とスリーブ３０に対して樹脂モールド等の加工方法によって組み付けて、固着リング３を外方から覆うように配する。
また、リング状シェル２０の外周部に滑り止めリング９を嵌着固定する。これにより、同軸ケーブルコネクタ１を構成すると共に、同軸ケーブルコネクタ１の同軸ケーブル１０への取り付けが完了する。【００５４】
次に、図３、図４、図５及び図６は、上述のように同軸ケーブル１０に装着された同軸ケーブルコネクタ１を、同軸Ｆ型コネクタ座４０に接続したときの接続状態を示す要部を拡大した一部断面図であり、これを用いて本願に係る同軸ケーブルコネクタ１のコネクタ座４０への接続及び取外しの手順を説明する。図３は、同軸ケーブル１０と同軸Ｆ型コネクタ座４０の第１の接続状態を示す図であり、図４は、第１の接続状態を説明するための一部を破断した要部拡大図である。また、図５は同軸ケーブル１０と同軸Ｆ型コネクタ座４０の第２の接続状態を示す図であり、図６は第２の接続状態を説明するための一部を破断した要部拡大図である。なお、上述の第１及び第２の接続状態の何れにおいても、コンタクトピン１７がＦ型コネクタ座４０の内部導体に導通されている。【００５５】
第１の接続状態においては、リング状シェル２０がリング状スプリング５０のスプリング片５３を介して同軸Ｆ型コネクタ座４０に嵌着されていると共に、リング状スプリング５０の切起片５１が同軸Ｆ型コネクタ座４０の雄ネジ４１に係止されている。ここで、同軸ケーブル１０とＦ型コネクタ座４０が未接続の状態から第１の接続状態にするには、リング状スプリング５０をＦ型コネクタ座４０に外挿すると共に、かかる挿入に際して、スプリング片５３をコネクタ座４０の雄ネジ４１のネジ山に摺動させる。更にコネクタ１を挿入操作していくと、挿入の最終段階において、複数の切起片５１が、コネクタ座４０の先端部に形成された雄ネジ４１のネジ山（図４では１山）を越えてネジ溝に嵌まり込む。これにより、第１の接続状態が実現され得る。【００５６】
従って、本実施形態の同軸ケーブルコネクタ１によれば、簡単な挿入操作による第１の接続状態であっても、電気的特性が安定した状態で接続できるし、その接続は、同軸ケーブルの引っ張り力に対しても抜け難くすることができる。しかも、かかる挿入操作はリング状シェル２０に供えられた滑り止めリング９や、化粧カバー２に形成された滑り止め手段２ａ等によって指先に負担をかけることなく簡単にできる。【００５７】
また、本実施形態では、切起片５１が、Ｆ型コネクタ座４０をリング状スプリング２０に挿入する方向（図２中、右から左）に対して、挿入方向の後端側で大きく立ち上がるように軸方向に対して傾斜している。これにより、コネクタ１のコネクタ座１に対する挿着の最初から最終段階まで、切起片５１が雄ネジ４１のネジ山を越えてネジ溝に嵌まり込むのではなく、挿着の最終段階で初めて雄ネジ４１の先端部のネジ溝に嵌まり込む構造とされており、それによって、嵌合（つまり、コネクタ１の挿着）に係る力が少なくて済むといった利点を有する。また、切起片５１がネジ溝に嵌まり込むまでの寸法が短いため、リング状スプリング５０を形成するための材質や板厚の検討や、切起片５１の形成角度、大きさ等の形状設計が容易と成り、延いては製品コストを安価にできるのである。【００５８】
更に、この挿入操作では、切起片５１がコネクタ座４０に形成された雄ネジ４１のネジ山を越えるときのクリック感やクリック音で挿入状態が確認できるばかりでなく、切起片５１がリング状シェル２０に形成された雌ネジ部２６に当接するまで挿入するだけで、挿入状態が完全に完了したことが明確に判断することができるのである。なお、第１の接続状態における切起片５１と雄ネジ４０の係止位置は、例示の如き先端部４１ａに限定されるものでなく、例えば雄ネジ４０の軸方向中間部分や基端部側であっても良い。【００５９】
また、同軸ケーブル１０を同軸Ｆ型コネクタ座４０に接続する第２の接続状態では、リング状シェル２０がスプリング片５３を介して同軸Ｆ型コネクタ座４０に嵌着されて、切起片５１が雄ネジ４１に係止されると共に、リング状シェル２０の雌ネジ部２６が雄ネジ４０の先端部に螺合されている。この第２の接続状態は、上述の第１の接続状態から更に同軸ケーブルコネクタ１をコネクタ座４０に螺合することで実現される。つまり第２の接続状態にするための接続操作は、コネクタ１をコネクタ座４０に挿入してから、更にリング状シェル２０に形成された雌ネジ部２６が、コネクタ座４０に形成された雄ネジ４１の先端部に螺合するまでの、リング状シェル２０の僅かな回動操作によって容易に完了することができる。しかも、接続対象のコネクタ座４０が、図５に良く示されるような、建物の壁面等に一般的に設けられている、パネル４６に形成された円形凹部４７内に、その底面中央より同軸Ｆ型コネクタ座４０が突設したテレビジョン共同受信用直列ユニット４５のように、同軸Ｆ型コネクタ座４０の周囲に形成される空間４８が狭い状態であって、リング状シェル２０への直接の操作がし難い場合であっても、リング状シェル２０の外周部において凹部４２に干渉されない位置に滑り止めリング９を積極的に設けることが可能なる。これにより、リング状シェル２０の回動操作も容易にできるし、それによって指先が痛くなることも無く簡単に行うことができる。【００６０】
さらに、雌ネジ部２６が、コネクタ座４０の雄ネジ４１の先端部に略３回で螺合するように構成されていることによって、同軸ケーブルコネクタ１の接続や取外しの容易性を維持しつつ、同軸Ｆ型コネクタ座４０に接続した同軸ケーブルコネクタ１の、軸方向の引っ張り力に対する取付強度を、所定値以上に保つことができ、一般的に同軸ケーブルコネクタ１が備えていなければならない基準値と同等の性能を備えさせることができる。【００６１】
また、特に本実施形態では、図６に示されるように、コネクタ１の締め付けが完了した第２の接続状態下で、スリーブ３０におけるフランジ状部１１ｂを備えた基端部１２の軸方向他方の端面（前面１２ａ）と同軸Ｆ型コネクタ座４０における外部導体の軸方向一方の端面（先端面）とが当接されている。これにより、コネクタ１がコネクタ座４０を包み込むように接続することができるので、外来電波の飛込みを防止するシールド性を更に良好に保つことができ、例えば、ディジタル放送の電波を受信して伝送するようなテレビ受信システムに用いることで、外来妨害波によって映像にブロックノイズがでたりすることの無いイミュニティー性能の極めて優れたコネクタを提供できる。【００６２】
また、第２の接続状態にある同軸ケーブルコネクタ１を同軸Ｆ型コネクタ座４０から取り外すには、リング状シェル２０の回動操作によって、リング状シェル２０の雌ネジ部２６を雄ネジ４１から外すと共に、リング状スプリング５０の切起片５１と雄ネジ４１の嵌合が解除され得る。また、第１の接続状態であっても、切起片５１とコネクタ座４０の雄ネジ４１の先端部との嵌合が解除されるまで、リング状シェル２０の回動操作をおこない、開放後はコネクタ１を軸方向に引き抜くだけの簡単操作で取外すことができる。【００６３】
しかも、本実施形態では、上述のようなコネクタ１とコネクタ座４０との螺合及び嵌合は、コネクタ座４０に形成された雄ネジ４１の先端部４１ａに対して行われるように構成されているため、コネクタ座４０の軸方向の長さに対して僅かな部分でしかないことから、コネクタ１の取外しのための回動操作を短く且つ容易にできるのである。また、取外し操作はリング状シェル２０に備えられた滑り止めリング９によって指先に負担をかけることなく簡単にできる。【００６４】
その結果、本実施形態の同軸ケーブルコネクタ１を用いた第１の接続状態では、取付けの簡易性を有するものの、接続してしまえば容易には引き抜き難く、そして基端部１２とコネクタ座の先端が当接しないので、コネクタ１はコネクタ座４０に対して回動自在に接続され得る。これにより、例えばノートパソコンとテレビ端子との接続ケーブルのように、ケーブルの着脱をしばしば行うことで、ケーブルの揺れや捻りが頻繁に有るような接続に使う同軸ケーブルコネクタ付き同軸ケーブルに応用すれば、コネクタ１に負荷が掛かってコネクタ１やコネクタ座を備えた機器に悪影響を与えたり、破損したりすることを防止できるばかりでなく、接続が簡単でしかもケーブルに何かが引っ掛っても引き抜け難い、極めて利便性のよい同軸ケーブルコネクタを提供できる。また、コネクタ座４０の外部導体が、例えば金属材料をプレス加工してなるコネクタ座（即ち、雄ネジが形成されていない）が備えられた、廉価なテレビ端子等の機器にも接続できると言った汎用性をも有する同軸ケーブルコネクタを提供できる。【００６５】
さらに、同軸ケーブルコネクタ１を用いた第２の接続状態に有っては、リング状スプリング５０で摺動固定した前記第１の接続状態より、より強固に固着できることから、例えばテレビ端子とテレビ台等に置かれたテレビとの間を接続する場合のように、テレビ台等が容易には動かし難く、一度同軸ケーブルを接続したら、テレビの配置を変えない限り、恒久的に接続の状態を維持したいような同軸ケーブル１０に好適に採用され得る。【００６６】
このように、本実施形態の同軸ケーブルコネクタ１によれば施工の形態に合わせて選択的に対応可能な二様の接続状態（第１の接続状態および第２の接続状態）を有し、取付け対象である同軸Ｆ型コネクタ座４０を選ばない汎用性の面でも、極めて高信頼な接続性能を備えた性能の面でも、有用性の高い同軸ケーブルコネクタ１を提供できる。また本実施形態のコネクタ１は、特に、上述したパネル４６の凹部４７の底面中央よりコネクタ座４０が突出するように取付けられた直列ユニット４５への取付けに対して好適であるので、テレビやパソコンでテレビを見るために欠かすことのできないテレビ端子との接続において、施工業者ばかりでなく一般ユーザーが使ったとしても、簡単に接続工事ができ、しかもその接続は非常に高い信頼性を有するようにできる、極めて有用性の高い同軸ケーブルコネクタを提供できるのである。【００６７】
加えて、特許文献１（実登第２５４６７５２号公報）に示される如き従来構造の同軸ケーブルコネクタのように、切起片５１を押圧するキャップのような特別な構成部材を採用する必要がないので、構造が簡単に構成され、組付け工数も少ないことで、同軸ケーブルコネクタが非常に安価に実現できるのである。【００６８】
以上、本発明の一実施形態について詳述してきたが、かかる実施形態における具体的な記載によって、本発明は、何等限定されるものでなく、当業者の知識に基づいて種々なる変更、修正、改良等を加えた態様で実施可能であり、また、そのような実施態様が本発明の趣旨を逸脱しない限り、何れも、本発明の範囲内に含まれるものであることは、言うまでもない。【００６９】
例えば、切起片５１やスプリング片５３、係合部２５、係合片５２等における形状や大きさ、構造、数、配置等の形態は、例示の如き形態に限定されるものではなく、具体的に、切起片やスプリング片、係合部、係合片を、それぞれ一つまたは前記実施形態と異なる数にしたり、周方向で隣り合う複数の切起片等を、それぞれ異なる軸方向位置に設けることも可能である。【００７０】
また、前記実施形態では、滑り止めリング９とリング状シェル２０やリング状シェル２０とリング状シェル５０が別体形成されていたが、これらは一体形成されても良い。
以下に、本発明の同軸ケーブルコネクタに係り、且つ前記実施形態と異なる実施形態について説明する。なお、以下の説明において、前記実施形態と実質的に同一の構造とされた部材および部位については、前記実施形態と同一の符号を付することによって、それらの詳細な説明を省略する。【００７１】
先ず、図８には、本発明の別の一実施形態としての同軸ケーブルコネクタにおける係合手段１５ａが示されている。
この係合手段１５ａは、リング状シェル２０側の構成要素である、リング状シェル２０の円筒状壁２２に軸方向に設けた、係合部としての凹状溝２５ａと、該凹状溝２５ａに沿って延び、該凹状溝２５ａに嵌まり込んで嵌合する、リング状スプリング５０の端部を径方向外側に向かって折り返し形成してなる、係合片としての折り返し片５２ａとから構成されている。かかる実施形態では、係合手段１５ａの形状が軸方向に長く、しかも、コネクタ座４０に挿着した状態では、コネクタ座４０によってリング状スプリング５０が径方向外側に向けて押付けられることから、係合手段１５ａは極めて強度が高く、図７に示す前記実施形態の係合手段１５より、リング状シェル２０を強いトルクで締め付けることができ、例えばＣＡＴＶ工事など、より信頼性の高い接続が求められるコネクタを提供できる。【００７２】
また、図１０Ａには、本発明の更に別の一実施形態としての同軸ケーブルコネクタにおける係合手段１５ｂが示されている。この係合手段１５ｂは、図８に示される実施形態と同様に、円筒状壁２２内に形成された凹状溝２５ａと、リング状スプリング５０の後端から径方向外側に、軸方向後端側が立ち上がるように軸方向前方に向かって切り込むように形成された、係合片としての舌状片５２ｂとから構成されており、これらを嵌合させることでリング状シェルとリング状スプリングは連動して回動するのである。この図８及び図１０Ａに示される実施形態によれば、雌ネジ部２６に対して係合部を形成するような加工しないので、コネクタ１とコネクタ座４０との接触性、延いてはコネクタ１のシールド性を損なう恐れが軽減できる。【００７３】
次に、本発明の同軸ケーブルコネクタにおいて、特に切起片が前記実施形態と異なる実施形態について図９Ａ，Ｂや図１０Ａ，Ｂ、図１１を用いて説明する。即ち、図９Ａは、前記実施形態の切起片５１の先端部に特徴を有する加工を加えた切起片６１を拡大した一部破断の拡大斜視図であり、図９Ｂは、かかる切起片６１を備えた同軸ケーブルコネクタ１を用いてＦ型コネクタ座４０と接続した第１の接続状態を拡大して示す断面図である。また、図１０Ａは、前記実施形態の切起片５１と異なる形態の切起片７１、７２、７３を拡大した一部破断の拡大斜視図であり、図１０Ｂは、これら切起片７１、７２、７３を備えた同軸ケーブルコネクタ１を用いてＦ型コネクタ座４０と接続した第１の接続状態を拡大して示す断面図である。更に、図１１は、前記実施形態の切起片５１と異なる形態の切起片８１を拡大した一部破断の拡大斜視図である。【００７４】
図９Ａ，Ｂに示される実施形態では、リング状スプリング５０に形成された切起片６１における軸方向後端側の先端部の角部５５が、所定の半径Ｒを有する円弧状とされている。このように構成することによって、簡易的な接続である前記リング状スプリング５０によって摺動固着した第１の接続状態から、継続的な接続を目指す前記同軸Ｆ型コネクタ座４０に前記雌ネジ部２６によって螺着した第２の接続状態にするとき、また、第１の接続状態若しくは第２の接続状態からコネクタ１を取外す場合に、切起片６１の先端隅部がコネクタ座４０のネジ溝４１に対して当接しても、角部５５がその摺動を妨げないので、コネクタの挿抜が容易にできるようになる。なお、本実施形態では、切起片６１の角部５５だけが円弧状とされた具体例を示したが、例えば切起片６１の先端部の全体に亘って円弧状とされても良い。【００７５】
図１０Ａ，Ｂに示される実施形態では、リング状スプリング５０の周方向に離隔して複数設けられた切起片７１、７２、７３の軸方向位置が、適宜に異ならされている。また、切起片７１、７２、７３の先端面７１ａ、７２ａ、７３ａが同軸Ｆ型コネクタ座４０に形成された雄ネジ４１のネジ溝角度と略平行になるように形成されている。換言すれば、各切起片７１、７２、７３の軸方向一方の先端面７１ａ、７２ａ、７３ａが、同軸Ｆ型コネクタ座４０の雄ネジ４１において各切起片７１、７２、７３と対向配置される部分（対向部分）４１ｂのネジ溝角度と略平行になるように、軸方向に対して傾斜している。このように構成することによって、簡易的な接続であるリング状スプリング５０によって摺動固着した第１の接続状態から、継続的な接続を目指す同軸Ｆ型コネクタ座４０に雌ネジ部２６によって螺着した第２の接続状態にするとき、また、第１の接続状態若しくは第２の接続状態からコネクタ１を取外す場合に、切起片７１，７２，７３の先端面がなす角度とコネクタ座４０に形成したネジ溝の傾斜方向が一致してその摺動の邪魔することが無くなるため、コネクタ１の挿抜が容易にできるようになる。なお、本実施形態の切起片７１、７２、７３の先端部には、円弧状の角部５５が形成されているが、かかる角部５５は必須の構成要件でない。また、前述のネジ溝角度は、Ｆ型コネクタ座４０の軸方向に対して傾斜する角度をいう。【００７６】
さらに、図１１に示される実施形態では、切起片８１が、スプリング片５３の後端部から直接に径方向内側に立ち上がるようにして一体形成されている。このような構成にすれば、Ｆ型コネクタ座４０を挟着保持するためのスプリング片５３と切起片８１とを軸方向に配置しても、リング状スプリング５０の軸方向の寸法を短くできるし、構造も簡単になる。なお、本実施形態では切起片８１に加え、切起片６１を備えた例を示したが、切起片６１は無くても良く、例示の如き形態に限定されるものではない。
【図３】
2009066705.tif 000003
【図４】
2009066705.tif 000004
【図５】
2009066705.tif 000005
【図６】
2009066705.tif 000006
【図７】
2009066705.tif 000007
【図８】
2009066705.tif 000008
【図９Ａ−９Ｂ】
2009066705.tif 000009
【図１０Ａ−１０Ｂ】
2009066705.tif 000010
【図１１】
2009066705.tif 000011
【図１Ａ−１Ｂ】
2009066705.tif 000012
【図２】
2009066705.tif 000013
【国際調査報告】
2009066705.tif 000014
2009066705.tif 000015
2009066705.tif 000016
2009066705.tif 000017